(57)【要約】【課題】奥行きのある立体的な形態として、商品のアピール効果の向上と店内の雰囲気を向上させ、更に店内に入った客がどの方向からでも容易に商品を取り出すことができるようにする。【解決手段】箱状の透明なケース３と展示品を収納する透明な収納トレー９とからなり、収納トレー９はケース３内に前後方向にスライド自在に嵌め込まれ、且つ収納トレー９の内部には、前後方向にスライド自在とし且つばね力をもって前方に移動性向が附与された押圧板１１を備え、該押圧板１１をもって収納トレー９内に整列された個々の展示品１４を後方から前方に押し出すようにしてなる陳列体２、２Ａ、２Ｂを用いる。該陳列体２、２Ａ、２Ｂを、展示品取り出し口の向きを違えて複数並列状態に連結する。【選択図】図３
0003125279.tif 000002
【実用新案登録請求の範囲】
【請求項１】
箱状の透明なケースと展示品を収納する透明な収納トレーとからなり、前記収納トレーは前記ケース内に前後方向にスライド自在に嵌め込まれ、且つ該収納トレーの内部には、前後方向にスライド自在とし且つばね力をもって前方に移動性向が附与された押圧板を備え、該押圧板をもって収納トレー内に整列された個々の展示品を後方から前方に押し出すようにしてなる陳列体を用い、該陳列体を、展示品取り出し口の向きを違えて複数並列状態に連結してなる商品陳列具。
【請求項２】
陳列体が、所定個数の商品を一組として包装したものを併せて陳列することができるようにしてなる陳列体である請求項１記載の商品陳列具。
【請求項３】
陳列体が、ケース内に収納トレーを複数段になるように嵌め込んでなる陳列体である請求項１又は２記載の商品陳列具。
【考案の詳細な説明】
【技術分野】
【０００１】
本考案はセルフサービス型の小売店等において用いるに適した商品陳列具に関するものである。
【背景技術】
【０００２】
セルフサービス型の小売店等における煙草の販売は、箱状の透明なケースと煙草を収納する透明なトレーとからなり、収納トレーをケース内に前後方向にスライド自在に嵌め込み、且つ該収納トレーの内部に、前後方向にスライド自在として且つばね力をもって前方に移動性向が附与された押圧板を備え、該押圧板をもって収納トレー内に整列された個々の煙草を前方に押し出すようにしてなる陳列具を用いて行われることが多くなっている。
【０００３】
しかし、斯かる従来の陳列具は、その外観の形態において単に四角い箱形をしているに過ぎず、このため、陳列棚の上に載置したときに、単なる容器にしか見えないものである。また、内部の煙草を取り出すときには、必ず正面側に立って取り出さなければならない。
【考案の開示】
【考案が解決しようとする課題】
【０００４】
本考案は上記の点に鑑みなされたものであって、陳列棚の上に載置したときに、デザイン的に従来の陳列具からは考えられない奥行きのある立体的な形態をもって客の目を惹き、商品のピーアール効果の向上と店内の雰囲気の向上に資すると共に、店内に入った客がどの方向からでも容易に商品を取り出すことができるようになした商品陳列具を提供せんとするものである。
【課題を解決するための手段】
【０００５】
而して、本考案の要旨とするところは、箱状の透明なケースと展示品を収納する透明な収納トレーとからなり、前記収納トレーは前記ケース内に前後方向にスライド自在に嵌め込まれ、且つ該収納トレーの内部には、前後方向にスライド自在とし且つばね力をもって前方に移動性向が附与された押圧板を備え、該押圧板をもって収納トレー内に整列された個々の展示品を後方から前方に押し出すようにしてなる陳列体を用い、該陳列体を、展示品取り出し口の向きを違えて複数並列状態に連結してなる商品陳列具にある。
【０００６】
また、上記構成における陳列体として、所定個数の商品を一組として包装したものを併せて陳列することができるようにしてなる陳列体である場合には、例えば煙草をバラ売りすると同時に包装した一カートン分の煙草も一緒に展示販売することができるものである。
【０００７】
また、上記構成において、ケース内に収納トレーを複数段になるように嵌め込んだ場合には、一度に多数の商品を展示販売することができるものである。
【考案の効果】
【０００８】
本考案によれば、陳列棚の上に載置したときに、デザイン的に従来の陳列具からは考えられない奥行きのある立体的な形態をもって客の目を惹き、商品のピーアール効果の向上と店内の雰囲気の向上に資すると共に、店内に入った客がどの方向からでも容易に商品を取り出すことができるものである。
【０００９】
また、陳列体として、所定個数の商品を一組として包装したものを併せて陳列することができるようにしてなる陳列体である場合には、例えば煙草をバラ売りすると同時に包装した一カートン分の煙草も一緒に展示販売することができるものである。
【００１０】
また、ケース内に収納トレーを複数段になるように嵌め込んだ場合には、一度に多数の商品を展示販売することができるものである。
【考案を実施するための最良の形態】
【００１１】
本考案を実施するための最良の形態は、箱状の透明なケースと展示品を収納する透明な収納トレーとからなり、前記収納トレーは前記ケース内に前後方向にスライド自在に嵌め込まれ、且つ該収納トレーの内部には、前後方向にスライド自在とし且つばね力をもって前方に移動性向が附与された押圧板を備え、該押圧板をもって収納トレー内に整列された個々の展示品を後方から前方に押し出すようにしてなる陳列体を用い、該陳列体を、展示品取り出し口の向きを違えて複数並列状態に連結したことにある。
【実施例】
【００１２】
以下、本考案の実施例について説明する。
図１は本考案の使用状態の斜視図、図２は本考案の正面図、図３は同平面図、図４は本考案を構成する陳列体におけるケースの中央縦断正面図、図５は同ケースの左側面図、図６は同ケースの右側面図、図７は同ケースの中央横断平面図、図８は本考案を構成する陳列体における収納トレーの中央縦断正面図、図９は同収納トレーの平面図、図１０は同収納トレーの中央縦断側面図である。
【００１３】
図中、１は商品陳列具であり、後記陳列体を、展示品取り出し口の向きを違えて複数並列状態に連結して形成してなるものである。
【００１４】
２、２Ａ、２Ｂは陳列体であり、２及び２Ａの陳列体はバラ売りの個々の商品のみを陳列するもの、２Ｂは一カートン等の所定個数の商品を一組として包装したものを併せて陳列することができるようになしたものである。また、２Ａは平面形状を三角形としており、これは両サイドに連結するようになしている。
【００１５】
また、これら陳列体２、２Ａ、２Ｂにおける基本的な構成は同様であるから、ここでは陳列体２Ｂについてのみ説明する。
【００１６】
陳列体２Ｂは、箱状の透明なケースと展示品を収納すると透明な収納トレーとからなるものであり、これらは樹脂によって成形されている。
【００１７】
また、前記ケース３は、本実施例においては収納トレーを３段に嵌め込むことができるようになしている。そして、該ケース３の左右両側の側壁内面における各段に相当する部分には、前後方向に沿った平行する二枚の板４、５を取り付けてガイド溝６、６を形成し、且つ下側の板５の上面には、適宜の間隔をおいて凸部５ａ、５ａを設けている。また、該ケース３は、一方側（本実施例では左側）の側壁外面に、一カートン等の所定個数の商品を一組として包装したものを陳列するための受け棚７、７を張り出させている。尚、該受け棚７、７は前記収納トレーの各段と一致する箇所に設けている。また、本実施例では、該受け棚７、７の前部と後部を板８、８で覆っている。
【００１８】
また、前記ケース３内に前後方向にスライド自在に嵌め込まれる収納トレー９は、本実施例では３列に商品を並べて収納することができるようになされており、そして夫々の列には、前後方向にスライド自在とし且つばね１０のばね力をもって前方に移動性向が附与された押圧板１１を備えている。そして、該押圧板１１により前方にある商品が１つ宛取り出されるたびに後方側の商品を前方に押し出すものである。また、該収納トレー９には、その左右両側の側壁外面に、前方ケース３におけるガイド溝６内にスライド自在に嵌め込まれるガイド板１２、１２を前後方向に沿って取り付けており且つ該ガイド板１２、１２の下面には適宜の間隔をおいて前記ケース３における下側の板５の上面に設けた凸部５ａ、５ａが嵌まり込む凹部１２ａ、１２ａを設けている。
【００１９】
而して、本考案は、上記陳列体２を中心とし、これの両側に上記実施例で示した陳列体２Ｂ、２Ｂを連結すると共に該陳列体２Ｂ、２Ｂの外側に陳列体２Ａ、２Ａを連結しており、そしてまた、両サイドの陳列体２Ａ、２Ａは商品取り出し口が逆方向を向く一方、中央部の３個の陳列体２、２Ｂ、２Ｂは商品取り出し口が同一方向を向くようになしている。また、陳列体２と、これの両側に連結する陳列体２Ｂ、２Ｂとの後方側の間には平面三角形の空間ができるが、この空間には物品収納部を兼ねる平面三角形のスペーサー１３、１３を嵌め込んでいる。尚、各陳列体２、２Ａ、２Ｂを連結する手段は、適宜の手段を採用すればよい。その他、図中１４は展示品を示す。
【図面の簡単な説明】
【００２０】
【図１】本考案の使用状態の斜視図である。
【図２】本考案の正面図である。
【図３】本考案の平面図である。
【図４】本考案を構成する陳列体におけるケースの中央縦断正面図である。
【図５】ケースの左側面図である。
【図６】ケースの右側面図である。
【図７】ケースの中央縦断面図である。
【図８】本考案を構成する陳列体における収納トレーの中央縦断正面図である。
【図９】収納トレーの平面図である。
【図１０】収納トレーの中央縦断側面図である。
【符号の説明】
【００２１】
１  商品陳列具
２、２Ａ、２Ｂ  陳列体
３  ケース
４、５  ガイド溝を形成する板
５ａ  凸部
６  ガイド溝
７  受け棚
９  収納トレー
１０  ばね
１１  押圧板
１２  ガイド板
１２ａ  凹部
【図１】
0003125279.tif 000003
【図２】
0003125279.tif 000004
【図３】
0003125279.tif 000005
【図４】
0003125279.tif 000006
【図５】
0003125279.tif 000007
【図６】
0003125279.tif 000008
【図７】
0003125279.tif 000009
【図８】
0003125279.tif 000010
【図９】
0003125279.tif 000011
【図１０】
0003125279.tif 000012